(57)【要約】【課題】田植えの期間を短縮して作業者の負担を軽減することができる生産性に優れた田植方法を提供する。【解決手段】苗箱に籾種１を播いて発芽させる発芽工程と、発芽工程で発芽して芽４の長さＬ３が２〜６ｃｍに伸びた状態の籾種１を田に投げ込んで植え付ける投げ込み植え工程と、を具備する。これにより、約３〜４日間の発芽工程のみで田への投げ込み植えを行うことができ、田植え期間を大幅に短縮することができる。苗種播きから田植えまでの１週間程度の作業を５月初めから６月末まで行うこととすれば、従来は１年に１回しかできなかった田植えを、１年に８回行うことができるようになる。よって、農地規模を拡大した大型農業も可能となり、中山間地における農地放棄の問題も解決される。そして、生産コスト低減により、米の販売価格を下げ、日本の米作りを立て直すことができる。【選択図】図３
2020080738.tif 000002
【特許請求の範囲】
【請求項１】
苗箱に籾種を播いて発芽させる発芽工程と、
前記発芽工程で発芽して芽の長さが２〜６ｃｍに伸びた状態の前記籾種を田に投げ込んで植え付ける投げ込み植え工程と、を具備することを特徴とする田植方法。
【請求項２】
前記投げ込み植え工程は、前記田に植代掻きが行われ前記田から排水された後に実行され、
前記投げ込み植え工程が実行されてから３〜８日経過した後に前記田に入水する入水工程が実行されることを特徴とする請求項１に記載の田植方法。
【請求項３】
前記苗箱の内部に前記籾種を播く工程において、前記苗箱に深さ５〜７ｍｍとなるように下土が入れられ、前記下土に前記籾種が播かれた後、前記籾種に前記下土までの深さ３〜５ｍｍとなるように上土が掛けられることを特徴とする請求項１または請求項２に記載の田植方法。
【発明の詳細な説明】
【技術分野】
【０００１】
本発明は、田植方法に関する。
【背景技術】
【０００２】
従来、一般的に行われている田植方法として、育苗箱に籾種を播いて発芽育成した水稲苗を、周知の乗用型田植機や歩行型田植機の苗載台に載せて、その田植機の苗植付機構で順次掻き取って水田に田植えする方法が知られている。
【０００３】
例えば、特許文献１には、自走車の後部に連結された苗植付装置を有する乗用型田植機が開示されている。同文献に開示された乗用型田植機では、苗植付装置を下降作業状態に下降させた状態で自走車を走行させることにより、苗植付装置によって５条植えの苗植作業を行なうことができる。
【０００４】
また例えば、特許文献２には、機体の後部に苗植付装置を備え、苗植付装置の後側に操縦ハンドルを備え、苗植付装置の前側に右及び左の車輪を備えた、歩行型田植機が開示されている。この種の歩行型田植機では、作業者は、苗植付装置の後側に立って操縦ハンドルを持ちながら歩いて機体を進行させる。そして、苗植付装置によって苗の植え付けが行われる。
また、従来、他の田植方法として、籾種を育苗箱等に播いて発芽育成することなく、発芽前の籾種を直接田面に播く直播方法が知られている。
【０００５】
例えば、特許文献３には、田面に溝を形成する作溝器と、溝に籾種を供給する播種装置と、籾種が供給された溝を埋め戻す覆土器と、を備えた水田直播機が開示されている。この種の水田直播機によれば、進行に伴って作溝器により田面に溝が形成されて、この溝に籾種が供給され、覆土器により溝が埋め戻されて籾種が田面に埋められる。
【先行技術文献】
【特許文献】
【０００６】
【特許文献１】特開２０１８−１１７５６２号公報
【特許文献２】特開２０１７−１１２８７９号公報
【特許文献３】特開平１１−１２７６１９号公報
【発明の概要】
【発明が解決しようとする課題】
【０００７】
しかしながら、上記した従来技術による田植方法では、好適な稲作を実現しつつ作業者の負担を軽減して作業効率を高めるために改善すべき点があった。
【０００８】
具体的には、苗を育成してから田植機を利用して田植えを行う従来技術の田植方法では、田植機による田植えが可能な長さまで苗を育成する必要があった。そのため、苗の育成期間が長く、育成期間を短縮することができなかった。即ち、従来、苗の長さが約１５〜２０ｃｍになるまで苗育成を行う必要があり、これよりも短い苗を田植機の苗植付機構で掻き取って水田に植え込むことは難しい。
【０００９】
そのため、苗を育成してから田植機で田植えを行う田植方法では、苗の育成に約１箇月もの期間を要し、苗育成の作業が容易ではないという問題点があった。また、田植機による田植えが可能な長さまで育成された苗では、苗やその育成土が重たくなるため、育成苗を運搬する作業も容易ではなかった。苗の育成のために作業時間を要し、多くの作業員が必要であることから、農業人口が減少しつつある現状においては、広範囲の水田に対して田植えを行うことが難しくなっていた。
【００１０】
また、発芽前の籾種を直接田面に播く直播方法では、発芽条件を好適に調整することが難しく、発芽率が低かった。そのため、籾種播きを行っても発芽が認められず、籾種播き作業をやり直す必要が生ずることもあった。また、従来技術の直播方法では、籾種播き後に、雑草の生育が多く、そのための除草対策が難しい。また更に、直播方法では、カルガモ等の野鳥による被害をこうむることもあった。
【００１１】
本発明は、上記の事情に鑑みてなされたものであり、その目的とするところは、田植えの期間を短縮して作業者の負担を軽減することができる生産性に優れた田植方法を提供することにある。
【課題を解決するための手段】
【００１２】
本発明の田植方法は、苗箱に籾種を播いて発芽させる発芽工程と、前記発芽工程で発芽して芽の長さが２〜６ｃｍに伸びた状態の前記籾種を田に投げ込んで植え付ける投げ込み植え工程と、を具備することを特徴とする。
【発明の効果】
【００１３】
本発明の田植方法によれば、苗箱に播まかれて発芽した籾種を芽の長さが２〜６ｃｍに伸びた状態で田に投げ込んで植え付ける投げ込み植え工程を具備する。これにより、田植えの期間を大幅に短縮して生産性を高めることができる。
【００１４】
具体的には、従来、田に苗を埋め込むまでに約１箇月の期間を要して約１５〜２０ｃｍに育成していた苗の育成工程を省略して、約３〜４日間の発芽工程のみで田への投げ込み植えを行うことができる。よって、田植え期間を大幅に短縮することができる。
【００１５】
本発明によって田植え期間を短縮することにより、苗種播きから田植えまでの１週間程度の作業を５月初めから６月末まで行うこととすれば、従来は１年に１回しかできなかった田植えを、１年に８回行うことができるようになる。これにより、農地規模を拡大した大型農業も可能となり、中山間地における農地放棄の問題も解決される。そして、生産コストの低減により、米の販売価格を下げ、日本の米作りを立て直すことができる。
【００１６】
また、苗箱に播いて発芽した籾種を芽の長さが２〜６ｃｍに伸びた状態で田への投げ込み植えが行われるので、発芽前の籾種を直接田面に播く従来技術の直播方法に比べて発芽率が高く、投げ込み植え後の苗の立ち上がりが良好で、育成率も高い。そのため、発芽不良や育成不良による田植え作業のやり直し等も必要ない。
【００１７】
また、芽の長さが２〜６ｃｍに伸びた状態で籾種を田に投げ込んで植え付けるので、雑草の生育に対しても強く、除草対策が容易となる。また更に、野鳥等による被害をなくすこともできる。
【００１８】
また、本発明の田植方法によれば、投げ込み植え工程は、田に植代掻きが行われ田から排水された後に実行され、投げ込み植え工程が実行されてから３〜８日経過した後に田に入水する入水工程が実行されても良い。これにより、田に投げ込んで植え付けられた籾種の苗の育成状態を良好にすることができる。
【００１９】
また、本発明の田植方法によれば、苗箱の内部に籾種を播く工程において、苗箱に深さ５〜７ｍｍとなるように下土が入れられ、下土の上に籾種が播かれた後、籾種に下土までの深さ３〜５ｍｍとなるように上土が掛けられても良い。これにより、籾種を発芽させるための育成土を軽量化することができる。よって、投げ込み植え工程が実行される際に、発芽した植え込み用の籾種や育成土を田に輸送する作業を容易に行うことができ、籾種を田に投げ込む作業性を高めることができる。
【図面の簡単な説明】
【００２０】
【図１】本発明の実施形態に係る田植方法の概略工程を示すフロー図である。
【図２】本発明の実施形態に係る田植方法の発芽工程における苗箱付近の概略を示す断面図である。
【図３】本発明の実施形態に係る田植方法の投げ込み植え工程おいて田に投げ込まれる籾種の概略を示す図である。
【発明を実施するための形態】
【００２１】
以下、本発明の実施形態に係る田植方法を図面に基づき詳細に説明する。
図１は、本発明の実施形態に係る田植方法の概略工程を示すフロー図である。図１に示すように、本実施形態に係る田植方法は、浸種工程Ｓ１、発芽工程Ｓ２、代掻き工程Ｓ３、排水工程Ｓ４、投げ込み植え工程Ｓ５及び入水工程Ｓ６を具備する。
【００２２】
浸種工程Ｓ１は、発芽した状態で田に投げ込まれる籾種１（図２参照）の発芽を促進するため、発芽前の籾種１を水に浸して水分を吸わせる工程である。
浸種工程Ｓ１では、苗箱１０に播かれる籾種１が準備され、浸種を行うための容器に入れられる。その容器に水が供給されて籾種１が浸される。容器内で籾種１を浸す水の温度は、低くとも１０℃以上に保たれ、籾種１を浸種する期間の平均水温は、約１３℃、積算温度は、約１００〜１２０℃日である。このように水の温度が調整され、約８〜９日間の浸種工程Ｓ１が行われる。
【００２３】
浸種工程Ｓ１において浸種される籾種１は、消毒種子であっても良いし、未消毒種子であっても良い。浸種される籾種１が消毒種子であるか未消毒種子であるかに係わらず上記の水温管理が行われる。
【００２４】
浸種される籾種１が未消毒である場合には、籾種１を消毒する工程が行われる。具体的には、開始時の浸種工程Ｓ１において、浸種を行う容器中に、例えば、イプコナゾール・銅水和剤（クミアイ化学工業株式会社テクリードＣ）の希釈倍数２００倍の薬液が注入され、約２４時間の浸種によって籾種１の消毒が行われる。なお、消毒の薬液としては、上記に限定されるものではなく、他の種類の薬液でも良い。
【００２５】
薬液による約２４時間の消毒が行われた後、容器中の薬液が水に変えられて、浸種を行う容器に約３日間、浸種停滞水が入れておかれる。その後、酸素不足にならないように約２〜３日毎に水の交換が行われる。
浸種工程Ｓ１が実行されて籾種１が充分水に浸され鳩胸状態に芽出しされた後、田に植える籾種１を苗箱１０の内部に播いて発芽させる発芽工程Ｓ２が行われる。
【００２６】
図２は、発芽工程Ｓ２において苗箱１０に籾種１が播かれた状態を示す苗箱１０付近の断面図である。
図１及び図２を参照して、発芽工程Ｓ２の籾種１を播く工程では、例えば、合成樹脂材等から形成された苗箱１０の内部に、深さＬ１が約５〜７ｍｍとなるように下土１１が入れられる。
【００２７】
そして、苗箱１０の下土１１の上には、浸種工程Ｓ１で鳩胸状態に芽出しされた籾種１が播かれる。なお、この苗箱１０内への籾種１の播き方は、手播きでも良いし、種播き機械を用いた方法でも良い。種播き機械によって籾種１が播かれる場合には、その種播き機械によって苗箱１０に播かれる籾種１の量が調製されても良い。
次いで、籾種１が播かれた苗箱１０の内部には、下土１１までの深さＬ２が約３〜５ｍｍとなるように、籾種１の上から上土１２が掛けられる。
【００２８】
このように、苗箱１０に深さＬ１が約５〜７ｍｍとなるように下土１１が入れられ、下土１１に籾種１を播いた後、籾種１に下土１１までの深さＬ２が約３〜５ｍｍとなるように上土１２を掛けることにより、籾種１を発芽させるための育成土を軽量化することができる。よって、投げ込み植え工程Ｓ５で投げ込み植えを行う際に、発芽した植え込み用の籾種１や育成土を田に輸送する作業を容易に行うことができ、籾種１を田に投げ込む作業性を高めることができる。
【００２９】
ここで、苗箱１０の１枚当たりに播かれる籾種１の量は、苗箱１０の大きさを、例えば、縦約２８０ｍｍ、横約５８０ｍｍ、深さ約２８〜３４ｍｍとして、約１００〜３００ｇ、好ましくは、約１５０〜２５０ｇ、更に好ましくは、約１８０〜２２０ｇである。これにより、籾種１を好適な発芽状態に育成することができる。
【００３０】
また、田の面積１０ａ当たりに用いられる苗箱１０の数は、約１０〜３０枚、好ましくは、約１５〜２５枚、更に好ましくは、約１８〜２２枚である。最終的に田の面積１０ａ当たりに使用される籾種１の重量は、約２〜６ｋｇ、好ましくは、約３〜５ｋｇである。
【００３１】
田の面積１０ａ当たりに使用される籾種１の重量が約２ｋｇよりも少ないと、田における苗の育成数量が不足して収穫数が少なくなってしまう。これに対して、田の面積１０ａ当たりに使用される籾種１の重量が約６ｋｇよりも多いと、田において育成する苗が密集しすぎて育成不良が生じて収穫数が減少する。上述の好適な量の籾種１が使用されることにより、田における育成状態を好適にして生産数を高めることができる。
【００３２】
発芽工程Ｓ２において籾種１が播かれた苗箱１０は、例えば、約２５〜３０段に重ねられて、室温約３０℃の温室内に入れられる。これにより、苗箱１０に播かれた籾種１が発芽する。
【００３３】
図３は、本実施形態に係る田植方法の投げ込み植え工程Ｓ５において田に投げ込まれる籾種１の概略を示す図である。
図１ないし図３を参照して、発芽工程Ｓ２において籾種１が播かれた苗箱１０は、室温約３０℃の温室内に約３〜４日間置かれる。これにより、苗箱１０に播かれた籾種１は、発芽して種部分２から根３が延びて芽４が発生し、種部分２からの芽４が投げ込み植え工程Ｓ５における田への植え付けに好適な長さＬ３に伸びた状態となる。
【００３４】
具体的には、発芽工程Ｓ２において、芽４は、長さＬ３が約２〜６ｃｍになるまで伸びる。発芽した籾種１の芽４の長さＬ３は、約２．５〜３ｃｍが更に好ましい。このように発芽工程Ｓ２で籾種１の芽４が好適な長さＬ３に伸びた状態となることにより、投げ込み植え工程Ｓ５における作業が容易になると共に、投げ込み植え工程Ｓ５後の苗の育成が良好になる。
【００３５】
なお、苗箱１０の深さは、温室への配置や輸送時の負担を軽くする観点から、約２８〜３４ｍｍが望ましい。このように内部の深さが比較的浅い苗箱１０を使用した場合、発芽して伸びた籾種１の芽４が苗箱１０の天井に着くことがあるが問題ない。
【００３６】
発芽工程Ｓ２では、前述した苗箱１０を温室に入れる方法に変えて、苗箱１０を野外に置いて籾種１を発芽させても良い。野外に苗箱１０を置いて籾種１を発芽させる方法では、太陽熱を利用して苗箱１０内の温度を調整することができる。
【００３７】
具体的には、鳩胸状態に芽出しされた籾種１は、上述した温室における発芽工程Ｓ２と同様の方法で苗箱１０に播かれ、その籾種１が播かれた苗箱１０は、例えば、１０段重ねられて野外に置かれる。
【００３８】
野外に重ねて置かれた苗箱１０は、合成樹脂製のシート材で覆われ、苗箱１０の内部は保温されると共に、シート材への日射によって加熱される。このように野外に置かれて太陽熱を利用する苗箱１０は、内部の温度が変化し、それによって籾種１の発芽状態や芽４の育成状態が変化する。そのため、作業者は、籾種１の育成状態を確認する必要がある。
【００３９】
野外に苗箱１０が置かれる方法においても、温室内に置かれる方法と同様に、籾種１の芽４が投げ込み植え工程Ｓ５における田への植え付けに好適な長さＬ３に伸びるまで育成される。即ち、前述のとおり、籾種１の芽４の長さＬ３は、約２〜６ｃｍ、好ましくは、約２．５〜３ｃｍである。
【００４０】
代掻き工程Ｓ３では、籾種１が投げ込まれる田に対して、先ず、荒代掻き作業が行われる。荒代掻き作業は、田に入水して、例えば、縦横１回行われても良い。そして、荒代掻き作業の後、約４〜５日間、荒代掻き後の状態で放置されて田の土が寝かせられる。その後、１回目は少なめに２回目は多めに水を入れて縦横１回の中代掻きの作業が行われる。
【００４１】
次に、排水工程Ｓ４が実行される。排水工程Ｓ４は、代掻き工程Ｓ３が行われた直後に行われ、田の排水口が開けられ、田の水が排水される。
【００４２】
排水工程Ｓ４で排水して田面の土が見えるようになったら投げ込み植え工程Ｓ５が行われる。投げ込み植え工程Ｓ５では、発芽工程Ｓ２で発芽して芽４の長さＬ３が所定の値になっている籾種１が田に投げ込まれて植え付けられる。投げ込み植え工程Ｓ５では、田の排水口が開いた状態に維持されている。
【００４３】
投げ込み植え工程Ｓ５では、先ず、籾種１を苗箱１０から取り出して別の大きな箱に入れ替える作業が行われる。投げ込み用の籾種１を入れる箱は、約２〜３枚の苗箱１０内の籾種１を入れることが可能な大きさである。
【００４４】
籾種１の根３は、それぞれ絡んでいるので、籾種１を１本ずつについて丁寧にほぐす作業が必要である。作業者は、苗箱１０の１枚ずつについて、籾種１を手でほぐして、投げ込み植え用の大きな箱に入れ替える。
【００４５】
そして、投げ込み植え用の箱を持って籾種１が運ばれ、箱に入れられた籾種１が田に投げ込まれる。籾種１の投げ込みは、作業者の手作業で行われる。即ち、作業者は、自分の手で籾種１を適量つかんで持ち上げ、田の目標に向かって投げ込む。田面の各位置において、投げ込まれる籾種１に多少の量的差異があっても問題ない。
【００４６】
作業者の手作業による投げ込み方法によって、半径約３ｍの範囲に効率良く籾種１を植え込むことができる。なお、籾種１が投げ込まれる位置は、作業の効率を踏まえて作業者が適宜設定し得る。例えば、後に田仕事を行うための歩道領域が残されても良い。
【００４７】
なお、排水工程Ｓ４の後にも水溜りが残っている場合があるが、その水溜りにも投げ込み植え工程Ｓ５によって籾種１の投げ込みが行われる。その後、約２０日経過しても苗の根付けがない場合には、投げ込み植え工程Ｓ５と同様の籾種１が作業者の手作業によって植え込まれても良い。
【００４８】
投げ込み作業の際には、作業者は、従来技術の乗用型田植機のように乗用可能な機械を利用し、その機械に乗用しながら手動で籾種１を田に投げ込んでも良い。即ち、乗用型田植機の上に１〜２人の作業者が乗り、それぞれの目的地に向かって効率的に籾種１が投げ込まれる。また、発芽した籾種１を田に投げ込むことが可能な自動投げ込み機械が作成され利用されても良い。
【００４９】
上記の投げ込み植え工程Ｓ５において、移動手段として従来技術の乗用型田植機等を利用する場合には、その乗用型田植機を利用して、肥料、農薬を播く作業が籾種１の投げ込み作業と同時に行われても良い。
【００５０】
籾種１の投げ込み植え作業が完了した後、田に水を入れないように水管理が行われる。即ち、田の給水口は閉じた状態、田の排水口は開いた状態に維持される。これにより、降雨の際にも田から水が排水され、田に水が溜まることはない。また、田面が乾いて大小の地割れが発生することもあるが、投げ込み植え作業の後約３〜８日経過するまでは田に入水されることはなく、田の排水状態は維持される。
【００５１】
上述の如く、本実施形態に係る田植方法によれば、苗箱１０に播いて発芽した籾種１を芽４の長さＬ３が約２〜６ｃｍに伸びた状態で田に投げ込んで植え付ける投げ込み植え工程Ｓ５が行われる。これにより、田植えの期間を大幅に短縮して生産性を高めることができる。
【００５２】
具体的には、従来、田に苗を埋め込むまでに約１箇月の期間を要して約１５〜２０ｃｍに育成していた苗の育成工程を省略して、約３〜４日間の発芽工程Ｓ２のみで田への投げ込み植えを行う投げ込み植え工程Ｓ５を開始することができる。よって、田植え期間を大幅に短縮することができる。
【００５３】
また、苗箱１０に播いて発芽した籾種１を芽４の長さＬ３が約２〜６ｃｍに伸びた状態で田への投げ込み植えが行われるので、発芽前の籾種を直接田面に播く従来技術の直播方法に比べて発芽率が高く、投げ込み植え後の苗の育成率も良い。そのため、発芽不良や育成不良による田植え作業のやり直し等も必要ない。
【００５４】
また、芽４の長さＬ３が約２〜６ｃｍに伸びた状態で籾種１を田に投げ込んで植え付けるので、雑草の生育に対しても強く、除草対策が容易となる。また更に、野鳥等による被害をなくすこともできる。
【００５５】
次に、入水工程Ｓ６により、田の入水が行われる。具体的には、投げ込み植え工程Ｓ５において、投げ込み植え付けの作業から約３〜８日が経過すると、苗は大きく伸びて、傾いて投げ込まれていた苗も略垂直に立ち直る。苗の葉が生育し、苗の状態が、葉先が青くなった青葉の枚数が約２〜３枚である所謂三つ葉状態になったら、田に入水する入水工程Ｓ６が行われる。
【００５６】
入水工程Ｓ６における初回の入水は、苗の葉が水面から出ていて目視できる状態で入水が止められる。これにより、深水によって苗が腐ってしまうことを防止できる。
【００５７】
上述の如く、本実施形態に係る田植方法によれば、代掻き工程Ｓ３によって田に植代掻きが行われた後に、排水工程Ｓ４によって田から排水され、投げ込み植え工程Ｓ５によって投げ込み植えが行われ、投げ込み植えの後約３〜８日経過するまでは田に入水が行われない。これにより、田に投げ込んで植え付けられた籾種１の苗の育成状態を良好にすることができる。
［実施例］
【００５８】
以下、実施例を挙げて本発明を詳細に説明する。なお、本発明は、以下に挙げる実施例によって何ら限定されるものではない。以下の説明では、図１ないし図３を適宜参照するものとする。
本発明者らは、平成３０年に栃木県佐野市内の広さ１２ａの田において本願発明の田植方法についての実証試験を行った。本発明の実施例として、その実証試験を説明する。
【００５９】
先ず、本発明者らは、平成３０年６月１１日に、品種コシヒカリの籾種１を水に浸して水分を吸わせる浸種工程Ｓ１を開始した。浸種工程Ｓ１において籾種１を浸種する平均水温を約１３℃に調整し、６月１９日まで籾種１を水に浸した状態にした。浸食積算温度は、約１０４℃日になる。なお、浸種工程Ｓ１では、既に説明した方法により、イプコナゾール・銅水和剤の希釈倍数２００倍の薬液を使用して、籾種１を消毒する工程を行っている。
【００６０】
次に、６月１９日に、苗箱１０に籾種１を播く発芽工程Ｓ２を実行した。縦約２８０ｍｍ、横約５８０ｍｍ、深さ約３０ｍｍの合成樹脂製の２１枚の苗箱１０に、深さＬ１が約５〜７ｍｍとなるように下土１１を入れた。
【００６１】
そして、苗箱１０内の下土１１の上に、浸種工程Ｓ１の容器から取り出した籾種１を手巻きにより播いた。籾種１の量は、苗箱１０の１枚当たり２００ｇである。
次いで、籾種１が播かれた苗箱１０の内部には、下土１１までの深さＬ２が約３〜５ｍｍとなるように、籾種１の上から上土１２を播いた。
籾種１が播かれた苗箱１０を１０段程度に重ねて野外に置いて、合成樹脂製のシート材で覆って、籾種１を発芽させ、芽４の長さＬ３が約２．５〜３ｃｍになるまで育成した。
【００６２】
代掻き工程Ｓ３については、他の田植え試験等を実施するため、５月初旬に荒代掻き及び中代掻き作業を行っていた。その後、田は、放置した状態であった。
６月２５日、最終の代掻き工程Ｓ３を実行した後、田から排水する排水工程Ｓ４を行った。
【００６３】
そして、同日に投げ込み植え工程Ｓ５を実行した。発芽工程Ｓ２によって芽４の長さＬ３が約２．５〜３ｃｍになった籾種１を苗箱１０から取り出し、手で１本ずつ丁寧にほぐした後、投げ込み植え用の箱で輸送して、手でつかんで持ち上げて田に投げ込んだ。
【００６４】
４日後の６月２９日に、田に入水する入水工程Ｓ６を行った。苗は大きく伸びて、葉が生育し、葉先が青くなった青葉の枚数が約２〜３枚になっていた。入水工程Ｓ６後の育成も良好であった。
【００６５】
投げ込み植え工程Ｓ５、入水工程Ｓの後、稲が成熟した１０月２２日に、稲刈りを行った。１２ａの田からの収穫量は、コシヒカリ５６０ｋｇであった。このように、本実施例の田植方法では、十分な収穫量が得られた。
【００６６】
以上説明の如く、本実施形態の田植方法によれば、田植え作業の効率を向上させて作業時間を大幅に短縮するこができるので、農業作業者の減少に対応し、少人数の作業者であっても耕作面積を増やして生産量を増加させることができる。
【００６７】
詳しくは、従来は１年に１回しかできなかった田植えを、本実施形態の田植方法によれば、１年に８回行うことができるようになる。これにより、農地規模を拡大した大型農業も可能となり、中山間地における農地放棄の問題も解決される。そして、生産コストの低減により、米の販売米価を下げ、日本の米作りを立直らせることができる。
【００６８】
なお、本発明は、上記実施形態に限定されるものではなく、その他、本発明の要旨を逸脱しない範囲で、種々の変更実施が可能である。
【符号の説明】
【００６９】
１      籾種
２      種部
３      根
４      芽
１０    苗箱
１１    下土
１２    上土
Ｓ１    浸種工程
Ｓ２    発芽工程
Ｓ３    代掻き工程
Ｓ４    排水工程
Ｓ５    投げ込み植え工程
Ｓ６    入水工程
【図１】
2020080738.tif 000003
【図２】
2020080738.tif 000004
【図３】
2020080738.tif 000005